(57)【要約】      （修正有）【課題】ペーパー切断部を露出させることなく、切断後にガイド板外にペーパーが引き出た状態を維持できるトイレットペーパーホルダを提供する。【解決手段】ペーパーをロール状に巻いたトイレットロールを回動可能に支持するホルダー本体と、一端がホルダー本体と回動可能に連結され、他端を含む湾曲した領域がトイレットロールを外周方向から覆うカバー板１１と、トイレットロールの外周と当接可能に、カバー板の背面側に配置され、ペーパーを引き出す方向又はペーパーを巻回する方向に移動可能にカバー板に取り付けられた移動板１２と、を備え、移動板はペーパーを切断可能な切断端部を有する。移動板を移動して切断端部がカバー板の端縁から突き出た状態で、ペーパーを切断し、切断後、切断端部がカバー板の端縁から後退するように移動板を移動させる。【選択図】図１
0003207239.tif 000002
【実用新案登録請求の範囲】
【請求項１】
ペーパーをロール状に巻いたトイレットロールを回動可能に支持するホルダー本体と、
一端が前記ホルダー本体と回動可能に連結され、他端を含む湾曲した領域が前記トイレットロールを外周方向から覆うカバー板と、
前記トイレットロールの外周と当接可能に、前記カバー板の背面側に配置され、前記ペーパーを引き出す方向又は前記ペーパーを巻回する方向に移動可能に前記カバー板に取り付けられた移動板と、を備え、
前記移動板は前記ペーパーを切断可能な切断端部を有し、
前記移動板が移動して前記切断端部が前記カバー板の端縁から突き出た状態で、前記ペーパーを切断し、切断後に前記切断端部が前記カバー板の端縁から後退するように前記移動板が移動するトイレットペーパーホルダ。
【請求項２】
前記カバー板は前記ペーパーを引き出す方向又は前記ペーパーを巻回する方向に溝を有し、
前記移動板は前記溝を介して前記カバー板から突き出た突出部を有し、
前記突出部を前記ペーパーを引き出す方向又は前記ペーパーを巻回する方向に前記溝に沿って移動させることで、前記移動板が移動する、請求項１に記載のトイレットペーパーホルダ。
【請求項３】
前記カバー板は前記ペーパーを引き出す方向又は前記ペーパーを巻回する方向と直角な方向の両端部に、柱状の空間が形成され、
前記移動板は前記ペーパーを引き出す方向又は前記ペーパーを巻回する方向と直角な方向の両端部に前記空間内を移動するガイド部を有し、
前記ガイド部の前記空間内の移動とともに前記移動板が移動する請求項１又は２に記載のトイレットペーパーホルダ。
【請求項４】
前記切断端部を前記カバー板の端縁から後退させる力を付勢する付勢部材を有する請求項１から３のいずれか１項に記載のトイレットペーパーホルダ。
【請求項５】
前記前記切断端部を前記カバー板の端縁から後退させる力を付勢するばねを有し、
前記空間は前記ペーパーを引き出す方向又は前記ペーパーを巻回する方向の前記カバー板の端部において閉塞され、前記空間を閉塞させる前記端部と前記ガイド部との間に前記ばねが配置され、
前記ガイド部が前記ペーパーを引き出す方向又は前記ペーパーを巻回する方向に前記空間内を移動するときに前記ばねの付勢力が与えられる請求項３に記載のトイレットペーパーホルダ。
【請求項６】
前記移動板の背面には複数の突起を有し、
前記突起は前記ペーパーを引き出す方向又は前記ペーパーを巻回する方向に向かって高くなるようなくさび型の形状である請求項１から５のいずれか１項に記載のトイレットペーパーホルダ。
【考案の詳細な説明】
【技術分野】
【０００１】
本考案は、トイレットペーパーホルダに関し、特にペーパーをロール状に巻いたトイレットペーパー（以下、トイレットロールと記す）の上方にカバー板を有するトイレットペーパーホルダに関する。
【背景技術】
【０００２】
トイレットペーパーホルダの代表的な構成として、トイレットロールの上方にカバー板を配置し、トイレットロールからペーパーを必要な長さだけ引き出した後に、カバー板でペーパーを切断する構成のものがある。その構成において、トイレットロールのペーパーをＶ字状に切り取る、トイレットペーパーホルダの構成例が、特許文献１から４に記載されている。
他の構成例として、特許文献５には、上記カバー板に対応する、トイレットペーパーホルダのフタ上に可動式カッター及び可動式カッターを支える土台を配置し、フタでなく、可動式カッターでトイレットペーパーを切断することの記載がある。
また、特許文献６には、トイレットロールのペーパーを切断、及びペーパーの掴み代を折りたたみ後にトイレットロールを外周方向から覆う上蓋が記載されている。
【先行技術文献】
【特許文献】
【０００３】
【特許文献１】特開２０１５−２０２３９２号公報
【特許文献２】特開２０１３−７５０５２号公報
【特許文献３】特開２００６−２８０８９２号公報
【特許文献４】特開２００５−５２２０７号公報
【特許文献５】特開２０１５−１５０４１２号公報
【特許文献６】特開２００８−２２０８９０号公報
【考案の概要】
【考案が解決しようとする課題】
【０００４】
特許文献１及び４の構成は、カバー板をＶ字状の形状にしているため、トイレットロールからペーパーを引き出すときに、カバー板でペーパーを傷つける場合がある。
特許文献２の構成は、切断時にトイレットロールのペーパーを天板部のペーパー切断部まで持ちあげる必要があり、トイレットロールの回転を抑えて切断することが難しい。
特許文献３の構成は、カバー板とは別にＶ字状の板体を設ける必要がある。
特許文献５の構成は、可動式カッター及び可動式カッターを支える土台をイレットペーパーホルダのフタを設けており、構成が複雑になる。
特許文献６の構成は、ペーパーの掴み代を折りたたむ構成が複雑になる。
【０００５】
本考案は、ペーパーを切断するための切断部を露出させることなく、ペーパーの切断後にガイド板外に、ペーパーの掴み代が出た状態を維持できるトイレットペーパーホルダを提供することを目的とする。
【課題を解決するための手段】
【０００６】
（１）  本考案のトイレットペーパーホルダは、ペーパーをロール状に巻いたトイレットロールを回動可能に支持するホルダー本体と、
一端が前記ホルダー本体と回動可能に連結され、他端を含む湾曲した領域が前記トイレットロールを外周方向から覆うカバー板と、
前記トイレットロールの外周と当接可能に、前記カバー板の背面側に配置され、前記ペーパーを引き出す方向又は前記ペーパーを巻回する方向に移動可能に前記カバー板に取り付けられた移動板と、を備え、
前記移動板は前記ペーパーを切断可能な切断端部を有し、
前記移動板が移動して前記切断端部が前記カバー板の端縁から突き出た状態で、前記ペーパーを切断し、切断後に前記切断端部が前記カバー板の端縁から後退するように前記移動板が移動するトイレットペーパーホルダである。
【０００７】
（２）上記（１）のトイレットペーパーホルダは、前記カバー板は前記ペーパーを引き出す方向又は前記ペーパーを巻回する方向に溝を有し、前記移動板は前記溝を介して前記カバー板から突き出た突出部を有し、前記突出部を前記ペーパーを引き出す方向又は前記ペーパーを巻回する方向に前記溝に沿って移動させることで、前記移動板が移動することが好ましい。
【０００８】
（３）上記（１）又は（２）のトイレットペーパーホルダは、前記カバー板は前記ペーパーを引き出す方向又は前記ペーパーを巻回する方向と直角な方向の両端部に、柱状の空間が形成され、前記移動板は前記ペーパーを引き出す方向又は前記ペーパーを巻回する方向と直角な方向の両端部に前記空間内を移動するガイド部を有し、前記ガイド部の前記空間内の移動とともに前記移動板が移動することが好ましい。
【０００９】
（４）上記（１）から（３）のいずれかのトイレットペーパーホルダは、前記切断端部を前記カバー板の端縁から後退させる力を付勢する付勢部材を有することが好ましい。
【００１０】
（５）上記（３）のトイレットペーパーホルダは、前記前記切断端部を前記カバー板の端縁から後退させる力を付勢するばねを有し、
前記空間は前記ペーパーを引き出す方向又は前記ペーパーを巻回する方向の前記カバー板の端部において閉塞され、前記空間を閉塞させる前記端部と前記ガイド部との間に前記ばねが配置され、
前記ガイド部が前記ペーパーを引き出す方向又は前記ペーパーを巻回する方向に前記空間内を移動するときに前記ばねの付勢力が与えられることが好ましい。
（６）上記（１）から（５）のいずれかのトイレットペーパーホルダは、前記移動板の背面には複数の突起を有し、前記突起は前記ペーパーを引き出す方向又は前記ペーパーを巻回する方向に向かって高くなるようなくさび型の形状であることが好ましい。
【考案の効果】
【００１１】
本考案によれば、ペーパーを切断するための切断部を露出させることなく、ペーパーの切断後にガイド板外に、ペーパーの掴み代が出た状態を維持できる。
【図面の簡単な説明】
【００１２】
【図１】本考案に係るトイレットペーパーホルダの一実施形態において、カバー板がトイレットロール上に配置された状態を示す斜視図である。
【図２】移動板の移動を説明するための斜視図である。
【図３】移動板をガイド板から突き出してペーパーを切断する様子を説明するための斜視図ある。
【図４】移動板を元の位置に戻したときの様子を説明するための斜視図である。
【図５】カバー板の幅が移動板の幅に比べて大きい場合を示す断面図である。
【図６】移動板をカバー板に取り付けた状態を示す断面図である。
【図７】ペーパー端部との間の摩擦力を調整する突起を設けた移動板を示す斜視図である。
【図８】移動板に、ペーパー端部との間の摩擦力を調整する突起を設けた場合の動作を示す縦断面図である。
【図９】カバー板、ばね及び移動板との分解斜視図である。
【図１０】カバー板の空間にばね及び移動板のガイド部を挿入した状態を示す断面図である。
【図１１】空間を閉塞したときのカバー板の端部を示す正面図である。
【図１２】移動板にばねを取り付ける他の構成例を示す斜視図である。
【図１３】移動板の突出部の他の構成例を示す上面図（平面図）及び縦断面図である。
【図１４】本実施形態のトイレットペーパーホルダの正面図である。
【図１５】本実施形態のトイレットペーパーホルダのトイレットロールを装着した状態を示す横断面である。
【考案を実施するための形態】
【００１３】
以下、本考案の実施形態について図面を用いて詳細に説明する。
図１は本考案に係るトイレットペーパーホルダの一実施形態において、カバー板がトイレットロール上に配置された状態を示す斜視図である。図２は移動板の移動を説明するための斜視図である。図３は移動板をガイド板から突き出してペーパーを切断する様子を説明するための斜視図である。図４は移動板を元の位置に戻したときの様子を説明するための斜視図である。
図１に示すように、トイレットペーパーホルダのカバー板１１は、トイレットロール１４上に配置される。カバー板１１の背面には「Ｕ」字形状の移動板１２が取り付けられ、移動板１２はカバー板１１の溝を介してカバー板１１の上面に突き出す突出部１３を備えている。溝はトイレットロール１４のペーパーを引き出す方向又はペーパーを巻回する方向に形成される。突出部１３を溝にそって移動させることで、図２に示すように、移動板１２が移動して切断端部（「Ｕ」字形状の端縁）がカバー板１１の端縁から突き出た状態となる。移動板１２は、トイレットロール１４の外周と当接可能に、カバー板１１の背面側に配置され、トイレットロール１４のペーパーを引き出す方向又はペーパーを巻回する方向に移動可能にカバー板１１に取り付けられている。
【００１４】
移動板１２の背面がトイレットペーパーロール１４の外周に当接している場合に、トイレットロール１４のペーパーの端部１４Ａは移動板１２の移動に伴って、カバー板１１から引き出される。
図３に示すように、突出部１３を抑えながらペーパー端部１４Ａを引き上げると、ペーパー端部１４Ａは移動板１２の切断端部で「Ｕ」字状に切り取られ、ペーパーの掴み代が残る。切断端部は凹凸がなくてよいが、凹凸刃を設けて切断しやすくすることもできる。
なお、移動板１２の形状はここでは、「Ｕ」字状としているが、他の形状、例えば「Ｖ」字状、四角状であってもよい。
【００１５】
図４に示すように、突出部１３を溝にそって元の位置に移動させる。すると、移動板１２が移動し、移動板１２の切断端部がカバー板１１の端縁から後退する。移動板１２によってペーパーが切り取られて、残った「Ｕ」字状のペーパー端部（ペーパーの掴み代）は移動板１２が元に戻っても、ガイド板１１から引き出された状態を維持する（カバー板１１外に残った状態を維持する）。
なお、図１から図４では、カバー板１１の幅が移動板１２の幅よりも若干大きい場合を示しているが、カバー板１１の幅はトイレットペーパーホルダの構成によって決められ、図５の断面図に示すように、カバー板１１の幅が移動板１２の幅に比べて大幅に大きい構成もある（図５では倍以上大きい場合を示している）。
図３に示すように、ペーパー端部１４Ａを、移動板１２の移動に伴ってカバー板１１から引き出し、図４に示すように、「Ｕ」字状に切り取られたペーパー端部１４Ａがカバー板１１外に残る状態にするには、移動板１２の背面とペーパー端部１４Ａとの間の摩擦力を調整すればよい。
【００１６】
図６は移動板をカバー板に取り付けた状態を示す断面図である。図７はペーパー端部との間の摩擦力を調整する突起を設けた移動板を示す斜視図である。図８は移動板に、ペーパー端部との間の摩擦力を調整する突起を設けた場合の動作を示す縦断面図である。図７では移動板を平板状として示しているが、実際は図５及び図８に示すように湾曲している。図８では突起のすべてがペーパー端部に接するように記載しているが、一部の領域がペーパー端部に接していればよい。
移動板１２の背面とペーパー端部１４Ａとの間の摩擦力を調整するには、図６及び７に示すように、移動板１２の背面に斜面が曲面のくさび状突起１２Ｃを設ける。図８に示すように、移動板１２を引き出すときには、くさび状突起１２Ｃの上部がペーパー端部１４Ａに引っかかるように接して摩擦力を増大させ、移動板１２を元の位置にもどすときには、くさび状突起１２Ｃの斜面がペーパー端部１４Ａに接するようにして摩擦力を減少させる。突起はペーパーを引き出す方向又はペーパーを巻回する方向に向かって高くなるようなくさび型の形状が好ましいが、摩擦力を調整可能であれば他の形状であってもよい。なお、摩擦力を調整するには、必ずしもくさび状突起１２Ｃを設けなくともよく、移動板１２を引き出すときには突出部１３を押すように、元の位置に戻すときに、引き上げるように移動させて摩擦力を調整してもよい。
【００１７】
移動板１２をカバー板１の背面で移動させるには、図７に示すように、移動板１２のペーパーを引き出す方向又はペーパーを巻回する方向と直角な方向の両側部に円柱状のガイド部１２Ａ、１２Ｂを設け、図６に示すように、ガイド板１１のペーパーを引き出す方向又はペーパーを巻回する方向と直角な方向の両側部に円柱状の空間を設け、この円柱状の空間内にガイド部１２Ａ、１２Ｂを挿入して移動可能とすることで移動板１２を移動可能とすればよい。なお、図６及び図７においては、突出部１３及びガイト板１１の溝は省略されている。
【００１８】
本実施形態の好ましい構成は、図１１に示すように、ペーパーを引き出す方向又はペーパーを巻回する方向のカバー板１１の両側部において円柱状の空間の一端部を閉塞し、図９及び１０に示すように、空間を閉塞させる端部とガイド部１２Ａ、１２Ｂとの間の円柱状の空間に、付勢部材としてのばね１５Ａ、１５Ｂを挿入する構成である。図９はカバー板、ばね及び移動板との分解斜視図である。図１０はカバー板の空間にばね及び移動板のガイド部を挿入した状態を示す断面図である。図１１は空間を閉塞したときのカバー板の端部を示す正面図である。図９及び図１０ではカバー板及び移動板を平板状として示しているが、実際は図５に示すように湾曲している。
図９においては、突出部１３を突き出すための溝は省略されている。このような構成により、図４に示す、移動板１２の突出部１３を溝にそって元の位置に移動させる動作を自動的に行うことが可能となる。ばね１５Ａ、１５Ｂは、移動板１２の切断端部をカバー板１１の端縁から後退させる力を付勢する付勢部材となる。移動板１２をガイド板１１から引き出すときには、ばね１５Ａ、１５Ｂを縮める、すなわち、ばね１５Ａ、１５Ｂに付勢力を与えるように突出部１３を移動させ、移動板１２を元の位置に戻すときはばね１５Ａ、１５Ｂの付勢力を用いる。ばねの付勢力は、ガイド部１２Ａ、１２Ｂがペーパーを引き出す方向又はペーパーを巻回する方向に円柱状の空間内を移動するときに与えられる。
【００１９】
なお、ばね１５Ａ、１５Ｂは必ずしもガイド板１１の両側部の円柱状の空間内に挿入しなくともよい。図１２は移動板にばねを取り付ける他の構成例を示す斜視図である。図１２では移動板を平板状として示しているが、実際は図５に示すように湾曲している。図１２に示すように、ばね１５Ａ、１５Ｂを移動板１２の端部に設けてもよい。ガイド部１２Ａ、１２Ｂ及びガイド部１２Ａ、１２Ｂが移動する空間は必ずしも円柱状である必要はなく、空間を角柱状としてもよく、ガイド部１２Ａ、１２Ｂと空間をともに角柱状としてもよい。
突出部１３の形状はここでは円柱状としているが、この形状に限定されず、例えば図１３（Ａ）の上面図及び縦断面図に示すように、きのこ状として頭部を掴みやすい形状としたり、図１３（Ｂ）の上面図及び縦断面図に示すようにレバー状としてもよい。
【００２０】
次に、本実施形態のトイレットペーパーホルダの全体構成について説明する。図１４は本実施形態のトイレットペーパーホルダの正面図、図１５は本実施形態のトイレットペーパーホルダのトイレットロールを装着した状態での横断面である。
図１４及び図１５に示すように、本実施形態のトイレットペーパーホルダは、「コ」の字状の横断面を有するホルダー本体１６と、ホルダー本体１６の両側部１６Ａ、１６Ｂの上部に回動可能に支持されるガイド板１１と、ガイド板１１に取り付けられた移動板１２とを備えている。移動板１２は図示されていないが、図６及び図９に示したように、ガイド板１１に取り付けられている。
【００２１】
ホルダー本体１６は、両側部１６Ａ、１６Ｂの中央部にそれぞれ取り付けられたアーム１７Ａ、１７Ｂを備えている。アーム１７Ａ、１７Ｂの一端はホルダー本体１６の両側部１６Ａ、１６Ｂの中央部に、他端が前後方向又は／及び上下方向に移動可能に取り付けられている。アーム１７Ａ、１７Ｂの他端が移動可能であることにより、図１５に示すように、トイレットロール１４の空洞部にアーム１７Ａ、１７Ｂが入りこみ、トイレットロール１４がアーム１７Ａ、１７Ｂに装着可能となっている。これにより、ホルダー本体１６はトイレットロール１４を回動可能に支持している。カバー板１１は、一端がホルダー本体１６と回動可能に連結され、他端を含む湾曲した領域がトイレットロール１４を外周方向から覆う。トイレットロール１４の交換する場合に、ガイド板１１を上方に跳ね上げることで交換が可能となる。このような、トイレットペーパーホルダの構成は例えば、特許文献４に開示されている。
【００２２】
本実施形態のトイレットペーパーホルダは移動板を備えたカバー板以外の構成は任意に構成することができる。例えば、意匠登録１４００１１５号に示されるように、「コ」の字状の支持体（ホルダ本体となる）の一方のアームにトイレットロールを取り付け、他方のアームに意匠登録１４００１１５号の押さえ板に変えて、図１の移動板１２を備えたカバー板１１を回動可能に取り付けたトイレットペーパーホルダも本考案の好適な実施形態の一つである。
【符号の説明】
【００２３】
１１  ガイド板
１２  移動板
１２Ａ、１２Ｂ  ガイド部
１３  突出部
１４  トイレットロール
１５Ａ、１５Ｂ  ばね
１６  ホルダー本体
１７Ａ、１７Ｂ  アーム
【図１】
0003207239.tif 000003
【図２】
0003207239.tif 000004
【図３】
0003207239.tif 000005
【図４】
0003207239.tif 000006
【図５】
0003207239.tif 000007
【図６】
0003207239.tif 000008
【図７】
0003207239.tif 000009
【図８】
0003207239.tif 000010
【図９】
0003207239.tif 000011
【図１０】
0003207239.tif 000012
【図１１】
0003207239.tif 000013
【図１２】
0003207239.tif 000014
【図１３】
0003207239.tif 000015
【図１４】
0003207239.tif 000016
【図１５】
0003207239.tif 000017